(57)【要約】【課題】シーク回数を減らして最新のＴＤＭＳ（管理情報）を取得するまでの時間を短縮できる管理情報取得装置、再生装置、管理情報取得方法及び管理情報取得プログラムを提供する。【解決手段】μＣＯＭ１１が複数のＴＤＭＡ０〜２のうち最初にＴＤＭＳが書き込まれるＴＤＭＡ０からスピンアップを開始して（ステップＳ１）、当該スピンアップを開始した地点が書き込み済みであるか否かを判定し（ステップＳ５）、書き込み済みでないと判定されると（ステップＳ５でＮ）、最初にＴＤＭＳが書き込まれるＴＤＭＡ０内を探索して最新のＴＤＭＳを取得し（ステップＳ８）、書き込み済みであると判定すると（ステップＳ５でＹ）、ＴＤＭＡ２アクセスインジケータ、ＴＤＭＡ１アクセスインジケータ内の情報を読み取って最新のＴＤＭＳが書き込まれているＴＤＭＡを判定して（ステップＳ１２〜Ｓ１６）、当該判定したＴＤＭＡ内を探索して最新のＴＤＭＳを取得する（ステップＳ１７、Ｓ２０）。【選択図】図３
2011150756.tif 000002
【特許請求の範囲】
【請求項１】
管理情報が順次記録される複数の管理情報記録領域と、前記管理情報記録領域に前記管理情報が書き込まれていることを示す書込情報が記録される書込情報記録領域と、が設けられた記録媒体から最新の前記管理情報を取得する管理情報取得装置において、
前記複数の管理情報記録領域のうち最初に前記管理情報が書き込まれる管理情報記録領域からスピンアップを開始して、当該スピンアップを開始した地点が書き込み済みであるか否かを判定する判定手段と、
前記判定手段により書き込み済みではないと判定されると最初に前記管理情報が書き込まれる管理情報記録領域内を探索して最新の管理情報を取得する第１管理情報取得手段と、
前記判定手段により書き込み済みであると判定されると前記書込情報記録領域内の書込情報を読み取って最新の管理情報が書き込まれている管理情報記録領域を判定して、当該判定した管理情報記録領域内を探索して最新の管理情報を取得する第２管理情報取得手段と、
を備えたことを特徴とする管理情報取得装置。
【請求項２】
前記判定手段が、最初に管理情報が書き込まれる前記管理情報記録領域の中間部からスピンアップを開始する
ことを特徴とする請求項１に記載の管理情報取得装置。
【請求項３】
前記第１管理情報取得手段が、最初に管理情報が書き込まれる前記管理情報記録領域の先頭とスピンアップが開始された地点との間を探索して最新の管理情報を取得する
ことを特徴とする請求項１又は２に記載の管理情報取得装置。
【請求項４】
前記第２管理情報取得手段が、最初に管理情報が書き込まれる管理情報記録領域が最新の管理情報が書き込まれる管理情報記録領域であると判定したとき、最初に管理情報が書き込まれる管理情報記録領域の終了地点とスピンアップが開始された地点との間を探索して最新の管理情報を取得する
ことを特徴とする請求項１〜３何れか１項に記載の管理情報取得装置。
【請求項５】
請求項１〜４何れか１項に記載の管理情報取得装置と、
前記管理情報取得装置により取得した最新の管理情報を用いて前記記録媒体に記録されたデータを再生する再生手段と、
を備えたことを特徴とする再生装置。
【請求項６】
管理情報が順次記録される複数の管理情報記録領域と、前記管理情報記録領域に前記管理情報が書き込まれていることを示す書込情報が記録される書込情報記録領域と、が設けられた記録媒体から最新の前記管理情報を取得する管理情報取得方法において、
前記複数の管理情報記録領域のうち最初に前記管理情報が書き込まれる管理情報記録領域からスピンアップを開始して、当該スピンアップを開始した地点が書き込み済みであるか否かを判定し、
書き込み済みでないと判定されると最初に前記管理情報が書き込まれる管理情報記録領域内を探索して最新の管理情報を取得し、
書き込み済みであると判定されると前記書込記録領域内の書込情報を読み取って最新の管理情報が書き込まれている管理情報記録領域を判定して、当該判定した管理情報記録領域内を探索して最新の管理情報を取得する
ことを特徴とする管理情報取得方法。
【請求項７】
コンピュータに、管理情報が順次記録される複数の管理情報記録領域と、前記管理情報記録領域に前記管理情報が書き込まれていることを示す書込情報が記録される書込情報記録領域と、が設けられた記録媒体から最新の前記管理情報を取得させる管理情報取得プログラムにおいて、
前記複数の管理情報記録領域のうち最初に前記管理情報が書き込まれる管理情報記録領域からスピンアップを開始して、当該スピンアップを開始した地点が書き込み済みであるか否かを判定する判定手段と、
前記判定手段により書き込み済みではないと判定されると最初に前記管理情報が書き込まれる管理情報記録領域内を探索して最新の管理情報を取得する第１管理情報取得手段と、
前記判定手段により書き込み済みであると判定されると前記書込情報記録領域内の書込情報を読み取って最新の管理情報が書き込まれている管理情報記録領域を判定して、当該判定した管理情報記録領域内を探索して最新の管理情報を取得する第２管理情報取得手段と、
して前記コンピュータを機能させることを特徴とする管理情報取得プログラム。
【発明の詳細な説明】
【技術分野】
【０００１】
本発明は、管理情報取得装置、再生装置、管理情報取得方法及び管理情報取得プログラムに関するものである。
【背景技術】
【０００２】
例えばＣＤ−Ｒ(Compact Disc-Recordable)、ＤＶＤ−Ｒ(Digital Versatile Disc-Recordable)などのように記録可能とされる記録媒体が知られている。このような記録媒体に対しては、記録領域に対してレーザ光の照射を行ってデータの記録・再生を行うようにされている。更に近年、ブルーレイディスク（Blu-ray Disc：商標登録）と呼ばれる高密度の記録媒体が開発され、著しい大容量化が図られている。
【０００３】
ここで、ブルーレイディスクとして、例えば追記のみが可能とされたＢＤ−Ｒ（Blu-ray Disc Recordable）では、データの記録構造やディスクの欠陥情報を管理するため、管理情報であるＴＤＭＳ(Temporary Disc Management Structure)を持ち、そのＴＤＭＳをディスク上の所定位置に設けられている管理情報記録領域としてのＴＤＭＡ(Temporary Disc Management Area)に追記していくように定められている。最後に追記されたＴＤＭＳが、有効なＴＤＭＳである（図１を参照）。
【０００４】
このＴＤＭＡは、ディスク内周のリードインゾーンやデータゾーンに複数個設けられ、それぞれＴＤＭＡｎ（ｎ＝０、１、２…）のように通し番号が付けられている。そして、このＴＤＭＡは、ＴＤＭＡ０、ＴＤＭＡ１、ＴＤＭＡ２、…のように番号順に使用するとともに、各ＴＤＭＡに対してＴＤＭＳを先頭から順に連続して記録するように定められている。
【０００５】
そして、ＢＤ−Ｒには、書込情報記録領域としてのＴＤＭＡ１アクセスインジケータ及びＴＤＭＡ２アクセスインジケータが、ＴＤＭＡ０の先頭に確保されている。この場合、最新のＴＤＭＳがＴＤＭＡ０に書き込まれている状態では、ＴＤＭＡ１、ＴＤＭＡ２アクセスインジケータには全く書き込みされない。このＴＤＭＡ０がＴＤＭＳの更新に使い切られ、ＴＤＭＳが次のＴＤＭＡ１に書き込まれる段階で、ＴＤＭＡ１アクセスインジケータにＴＤＭＳに関するデータの書き込みが行われる。以降も同様に、当該ＴＤＭＡ１が更新に使い切られ、ＴＤＭＳがＴＤＭＡ２に書き込まれる段階でＴＤＭＡ２アクセスインジケータにＴＤＭＳに関するデータの書き込みが行われることになる。
【０００６】
また、ＴＤＭＡ０の先頭にはさらにＤＭＡ（Disc Management Area）アクセスインジケータが確保されている。ＤＭＡアクセスインジケータには、ディスクのファイナライズ時にＴＤＭＳに関するデータの書き込みが行われ、ＤＭＡアクセスインジケータの記録状態によってディスクがファイナライズ済みかどうかを示す。これらＴＤＭＡアクセスインジケータ、ＤＭＡアクセスインジケータは、ディスク認識時間を短縮させるために導入された機能である。
【０００７】
ここで、上記説明によれば、各ＴＤＭＡアクセスインジケータの書き込み済み／未書き込み（記録状態）を調べることで、どのＴＤＭＡに最新情報があるかを確認することができる。従来、このようにＴＤＭＡアクセスインジケータから最新のＴＤＭＳを確認する再生装置として、例えば特許文献１に記載された再生装置が知られている。この従来の再生装置は、まずレーザ光を照射する光ピックアップをディスクの所定地点に移動させて、そこからディスクのスピンアップを開始する。
【０００８】
その後、再生装置は、ＤＭＡアクセスインジケータの記録状態を確認して、ＤＭＡアクセスインジケータに書き込みがあればファイナライズ済みであると判定して、ファイナライズ時に最新のＴＤＭＳが書き込まれるＤＭＡから最新のＴＤＭＳを取得する。これに対して、再生装置は、ＤＭＡアクセスインジケータに書き込みがなければ、ファイナライズされていないと判定して、まずＴＤＭＡ２アクセスインジケータの記録状態を確認する。
【０００９】
結果、ＴＤＭＡ２アクセスインジケータが書き込み済みの場合、再生装置は、ＴＤＭＡ２に最新のＴＤＭＳが記録されていると判定してＴＤＭＡ２を探索して最新のＴＤＭＳを取得する。一方、ＴＤＭＡ２アクセスインジケータが書き込み済みでない場合、次にＴＤＭＡ１アクセスインジケータの記録状態を確認する。結果、ＴＤＭＡ１アクセスインジケータが書き込み済みの場合、ＴＤＭＡ１に最新のＴＤＭＳが記録されていると判定してＴＤＭＡ１を探索して最新のＴＤＭＳを取得する。一方、ＴＤＭＡ１アクセスインジケータが書き込み済みでない場合、ＴＤＭＡ０に最新のＴＤＭＳが記録されていると判定してＴＤＭＡ０を探索して最新のＴＤＭＳを取得する。
【先行技術文献】
【特許文献】
【００１０】
【特許文献１】特開２００８−２９３５７１号公報
【発明の概要】
【発明が解決しようとする課題】
【００１１】
しかしながら、上述した従来の再生装置では、最新のＴＤＭＳがＴＤＭＡ０に書き込まれている場合、ＴＤＭＡ２インジケータ、ＴＤＭＡ１インジケータの記録状態を確認する必要があり、シーク回数が多く、最新のＴＤＭＳの取得に時間がかかり、ディスクの再生までの時間がかかる、という問題があった。
【００１２】
本発明は、かかる問題を解決することを目的としている。即ち、本発明は、例えば、シーク回数を減らして最新の管理情報を取得するまでの時間を短縮できる管理情報取得装置、再生装置、管理情報取得方法及び管理情報取得プログラムを提供することを目的としている。
【課題を解決するための手段】
【００１３】
上記課題を解決するために、請求項１に記載の管理情報取得装置は、管理情報が順次記録される複数の管理情報記録領域と、前記管理情報記録領域に前記管理情報が書き込まれていることを示す書込情報が記録される書込情報記録領域と、が設けられた記録媒体から最新の前記管理情報を取得する管理情報取得装置において、前記複数の管理情報記録領域のうち最初に前記管理情報が書き込まれる管理情報記録領域からスピンアップを開始して、当該スピンアップを開始した地点が書き込み済みであるか否かを判定する判定手段と、前記判定手段により書き込み済みではないと判定されると最初に前記管理情報が書き込まれる管理情報記録領域内を探索して最新の管理情報を取得する第１管理情報取得手段と、前記判定手段により書き込み済みであると判定されると前記書込情報記録領域内の書込情報を読み取って最新の管理情報が書き込まれている管理情報記録領域を判定して、当該判定した管理情報記録領域内を探索して最新の管理情報を取得する第２管理情報取得手段と、を備えたことを特徴とする。
【００１４】
請求項６に記載の管理情報取得方法は、管理情報が順次記録される複数の管理情報記録領域と、前記管理情報記録領域に前記管理情報が書き込まれていることを示す書込情報が記録される書込情報記録領域と、が設けられた記録媒体から最新の前記管理情報を取得する管理情報取得方法において、前記複数の管理情報記録領域のうち最初に前記管理情報が書き込まれる管理情報記録領域からスピンアップを開始して、当該スピンアップを開始した地点が書き込み済みであるか否かを判定し、書き込み済みでないと判定されると最初に前記管理情報が書き込まれる管理情報記録領域内を探索して最新の管理情報を取得し、書き込み済みであると判定されると前記書込記録領域内の書込情報を読み取って最新の管理情報が書き込まれている管理情報記録領域を判定して、当該判定した管理情報記録領域内を探索して最新の管理情報を取得することを特徴とする。
【００１５】
請求項７に記載の管理情報取得プログラムは、コンピュータに、管理情報が順次記録される複数の管理情報記録領域と、前記管理情報記録領域に前記管理情報が書き込まれていることを示す書込情報が記録される書込情報記録領域と、が設けられた記録媒体から最新の前記管理情報を取得させる管理情報取得プログラムにおいて、前記複数の管理情報記録領域のうち最初に前記管理情報が書き込まれる管理情報記録領域からスピンアップを開始して、当該スピンアップを開始した地点が書き込み済みであるか否かを判定する判定手段と、記判定手段により書き込み済みではないと判定されると最初に前記管理情報が書き込まれる管理情報記録領域内を探索して最新の管理情報を取得する第１管理情報取得手段と、前記判定手段により書き込み済みであると判定されると前記書込情報記録領域内の書込情報を読み取って最新の管理情報が書き込まれている管理情報記録領域を判定して、当該判定した管理情報記録領域内を探索して最新の管理情報を取得する第２管理情報取得手段と、して前記コンピュータを機能させることを特徴とする。
【図面の簡単な説明】
【００１６】
【図１】本実施例で用いる光ディスクのレイアウトを示す説明図である。
【図２】本発明の一実施例にかかる光ディスク再生装置のブロック図である。
【図３】図２に示す光ディスク再生装置のディスク認識処理手順を示すフローチャートである。
【発明を実施するための形態】
【００１７】
以下、本発明の一実施形態にかかる管理情報取得装置を説明する。本発明の一実施の形態にかかる管理情報取得装置は、判定手段が複数の管理情報記録領域のうち最初に管理情報が書き込まれる管理情報記録領域からスピンアップを開始して、当該スピンアップを開始した地点が書き込み済みであるか否かを判定し、第１管理情報取得手段が判定手段により書き込み済みでないと判定されると最初に管理情報が書き込まれる管理情報記録領域内を探索して最新の管理情報を取得し、第２管理情報取得手段が判定手段により書き込み済みであると判定されると書込情報記録領域内の書込情報を読み取って最新の管理情報が書き込まれている管理情報記録領域を判定して、当該判定した管理情報記録領域内を探索して最新の管理情報を取得するので、最新の管理情報が最初に管理情報が書き込まれる管理情報記録領域のスピンアップを開始した地点よりも前にある場合、書込情報記録領域内の書込情報を読み取る必要がなく、シーク回数を減らして最新の管理情報を取得するまでの時間を短縮できる。
【００１８】
また、判定手段が、最初に管理情報が書き込まれる管理情報記録領域の中間部からスピンアップを開始するようにしてもよい。このようにすることにより、管理情報記録領域の中間部よりも前に最新の管理情報が書き込まれている場合、書込情報記録領域内の書込情報を読み取る必要がなく、シーク回数を減らして最新の管理情報を取得するまでの時間を短縮できる。
【００１９】
また、第１管理情報取得手段が、最初に管理情報が書き込まれる管理情報記録領域の先頭とスピンアップが開始された地点との間を探索して最新の管理情報を取得するようにしてもよい。このようにすることにより、スピンアップが開始された地点よりも後を探索する必要がなくなり、より一層最新の管理情報を取得するまでの時間を短縮できる。
【００２０】
また、第２管理情報取得手段が、最初に管理情報が書き込まれる管理情報記録領域が最新の管理情報が書き込まれる管理情報記録領域であると判定したとき、最初に管理情報が書き込まれる管理情報記録領域の終了地点とスピンアップが開始された地点との間を探索して最新の管理情報を取得するようにしてもよい。このようにすることにより、スピンアップが開始された地点よりも前を探索する必要がなくなり、より一層最新の管理情報を取得するまでの時間を短縮できる。
【００２１】
また、上述した管理情報取得装置を記録媒体を再生する再生装置に内蔵してもよい。このようにすることにより、最新の管理情報を迅速に取得して記録媒体の再生までにかかる時間を短くすることができる。
【００２２】
また、本発明の一実施形態にかかる管理情報取得方法は、複数の管理情報記録領域のうち最初に管理情報が書き込まれる管理情報記録領域からスピンアップを開始して、当該スピンアップを開始した地点が書き込み済みであるか否かを判定し、書き込み済みでないと判定されると最初に管理情報が書き込まれる管理情報記録領域内を探索して最新の管理情報を取得し、書き込み済みであると判定されると書込記録領域内の書込情報を読み取って最新の管理情報が書き込まれている管理情報記録領域を判定して、当該判定した管理情報記録領域内を探索して最新の管理情報を取得するので、最新の管理情報が最初に管理情報が書き込まれる管理情報記録領域のスピンアップを開始した地点よりも前にある場合、書込情報記録領域内の書込情報を読み取る必要がなく、シーク回数を減らして最新の管理情報を取得するまでの時間を短縮できる。
【００２３】
また、本発明の一実施形態にかかる管理情報取得プログラムは、判定手段が複数の管理情報記録領域のうち最初に管理情報が書き込まれる管理情報記録領域からスピンアップを開始して、当該スピンアップを開始した地点が書き込み済みであるか否かを判定し、第１管理情報取得手段が判定手段により書き込み済みでないと判定されると最初に管理情報が書き込まれる管理情報記録領域内を探索して最新の管理情報を取得し、第２管理情報取得手段が判定手段により書き込み済みであると判定されると書込情報記録領域内の書込情報を読み取って最新の管理情報が書き込まれている管理情報記録領域を判定して、当該判定した管理情報記録領域内を探索して最新の管理情報を取得するので、最新の管理情報が最初に管理情報が書き込まれる管理情報記録領域のスピンアップを開始した地点よりも前にある場合、書込情報記録領域内の書込情報を読み取る必要がなく、シーク回数を減らして最新の管理情報を取得するまでの時間を短縮できる。
【実施例】
【００２４】
本発明の一実施例にかかる管理情報取得装置を組み込んだ再生装置としての光ディスク再生装置１を図面に基づいて参照して説明する。まず、本実施例における光ディスク再生装置１の構成を説明する前にこの光ディスク再生装置１により再生される光ディスクのレイアウトを図１を参照して説明する。図１は、本実施例で用いる光ディスクのレイアウトを示す説明図である。この光ディスクは、いわゆるブルーレイディスクと呼ばれる高密度光ディスク方式の範疇におけるライトワンス型ディスクとして実施可能である。同図に示すように、光ディスクには、内周側からリードインゾーン、データゾーン、リードアウトゾーンが設けられている。また、上記リードインゾーンのうち最内周側のプリレコーデッド情報領域ＰＩＣが再生専用領域とされ、リードインゾーンの管理／制御情報領域からリードアウトゾーンまでが、１回記録可能なライトワンス領域とされる。
【００２５】
上記プリレコードデッド情報領域ＰＩＣには、あらかじめ、記録再生パワー条件等のディスク情報や、光ディスク上の領域情報、コピープロテクションに使う情報等が記録されている。上記データゾーンには、図１（ｂ）に示すように、その最内周と最外周に各々ＩＳＡ(Inner Spare Area)、ＯＳＡ(Outer Spare Area)が形成され、ＩＳＡとＯＳＡとの間にユーザデータ領域が形成される。図１（ａ）に示すように、上記ＩＳＡにはＴＤＭＡ１及びスペア領域が設けられ、ＯＳＡにはＴＤＭＡ２及びスペア領域が設けられている。また、リードインゾーンの管理／制御情報領域には、図１（ｃ）に示すように、未定義区間（リザーブ）を除いてＤＭＡ２、ＯＰＣ（テストライトエリア）、ＴＤＭＡ０、ＤＭＡ１の各エリアが形成される。また、リーダアウトゾーンには、リザーブを除いてＤＭＡ３、ＤＭＡ４が形成される。
【００２６】
上記データゾーンに設けられたユーザデータ領域には、光ディスク再生装置１で再生するデータが記録される。また、データゾーンに設けられたＯＳＡ及びＩＳＡ内のスペア領域には、光ディスク再生装置１の交替処理によりユーザデータ領域の欠陥セクタに本来記録すべきデータが記録されている。交替処理とはユーザデータ領域に欠陥セクタがある場合、本来そのセクタに記録する予定だったデータをスペア領域に記録し、欠陥セクタのアドレスやスペア領域のアドレスなどの管理情報としてのＴＤＭＳを後述する管理情報記録領域としてのＴＤＭＡ０〜２、ＤＭＡ１〜４に記録し、データを読み込むときに欠陥セクタにアクセスした際にはＴＤＭＳを参照してスペア領域からデータを読み込む処理である。
【００２７】
また、この交替処理を利用してライトワンス型の光ディスクに対してオーバーライトできるようにした光ディスク再生装置１も知られている。つまり、既にユーザデータ領域に記録された古いデータに新たなデータをオーバーライトする場合、その新たなデータをスペア領域に記録し、欠陥交替と同様に古いデータが記録されているセクタのアドレスやスペア領域のアドレスなどのＴＤＭＳを後述するＴＤＭＡ０〜２、ＤＭＡ１〜４に記録し、古いデータが記録されているセクタにアクセスした際にはＴＤＭＳを参照してスペア領域から新たなデータを読み込むことで、オーバーライトを実現できる。
【００２８】
上述したＴＤＭＳは、リードインゾーンやデータゾーンに設けられたＴＤＭＡに記録される。上記説明からも明らかなようにＴＤＭＳは、上記交替処理が行われる毎に更新する必要があり、ＴＤＭＡ０から順に追加記録されて更新されていく。そして、ＴＤＭＡ０がＴＤＭＳの更新のために使いきられた場合は、さらなるＴＤＭＳの書き込み領域としてＴＤＭＡ１→ＴＤＭＡ２の順に追記を行うことができる。
【００２９】
なお、上述したＴＤＭＳは、ＴＤＤＳ(Temporary Disc Definition Structure)、ＴＤＦＬ(Temporary Defect List）、ＳＲＲＩ(Sequetial Recording Range Information)から構成されている。ＴＤＤＳは、主にＴＤＭＳの管理のための情報であり、ＴＤＭＡのサイズの情報が含まれている。このＴＤＭＡのサイズ情報（及び固定とされるＴＤＭＡ１の先頭アドレス、ＴＤＭＡ２の終了アドレス）から、該ＴＤＭＡの先頭アドレス、終了アドレスを計算できる。ＴＤＦＬは、実際の交替情報が含まれている。ＳＲＲＩは、ユーザデータ領域に記録されるＳＲＲ（Sequential Recording Range：連続記録範囲）の管理情報である。ここでいう連続記録範囲とは、例えばＣＶ、ＤＶＤなどで言う「トラック」に想到するものである。
【００３０】
また、上記ＤＭＡは、ディスクがファイナライズされた場合、ＴＤＭＡにおいて最後に更新されたＴＤＭＳが記録される。上記ＤＭＡは、リードインゾーン、リードアウトゾーンにおいて各２箇所設けられ、計４つ設けられている。これらＤＭＡ１〜ＤＭＡ４には、同一のＴＤＭＳが記録される。つまり、これらＤＭＡ１〜ＤＭＡ４に対しては、ＴＤＭＡにおいて最後に更新されたのと同じＴＤＭＳが記録されるものである。このように同じＴＤＭＳが大量に書き込まれることで、ファイナライズ後においては最新のＴＤＭＳの読み出しをより確実に行うことができるようになる。
【００３１】
以上をまとめると、ディスクをファイナライズするまでは、ＤＭＡは使用されず、ＴＤＭＡから最新のＴＤＭＳを取得して再生を行う。また、ディスクをファイナライズすると、その時点においてＴＤＭＡに記録されている最新のＴＤＭＳがＤＭＡに記録され、以降はＤＭＡから最新のＴＤＭＳを取得して再生を行う。
【００３２】
また、上述したＯＰＣは、記録／再生時のレーザパワー等、データ記録再生条件を設定する際の試し書きなどに使われる。即ち記録再生条件調整のための領域である。
【００３３】
また、上述したＴＤＭＡ０は、図１（ｄ）に示すように、先頭にアクセスインジケータ領域が設けられている。アクセスインジケータ領域には、先頭から順にＤＭＡアクセスインジケータ、書込情報記録領域としてのＴＤＭＡ２アクセスインジケータ及びＴＤＭＡ１アクセスインジケータが設けられている。上記ＴＤＭＡ２アクセスインジケータには、ＴＤＭＡ２にＴＤＭＳが初めて記録されたときに最新のＴＤＭＳ内に含まれた書込情報としてのＴＤＤＳの書き込みが行われる。上記ＴＤＭＡ１アクセスインジケータには、ＴＤＭＡ１にＴＤＭＳが初めて記録されたときに最新のＴＤＭＳ内に含まれた書込情報としてのＴＤＤＳの書き込みが行われる。ＤＭＡアクセスインジケータには、ファイナライズに伴いＤＭＡに最新のＴＤＭＳが記録されるときに最新のＴＤＭＳ内に含まれたＴＤＤＳがＤＤＳとして書き込まれる。
【００３４】
以上の説明から明らかなように、ＤＭＡアクセスインジケータに書き込みがあれば光ディスクがファイナライズされていると判定できる。また、ＤＭＡアクセスインジケータ、ＴＤＭＡ１、ＴＤＭＡ２アクセスインジケータの何れも書き込みがなければ最新のＴＤＭＳがＴＤＭＡ０に記録されているか、ブランクディスクであると判定できる。また、ＤＭＡアクセスインジケータ及びＴＤＭＡ２アクセスインジケータに書き込みがなく、ＴＤＭＡ１アクセスインジケータに書き込みがあれば最新のＴＤＭＳがＴＤＭＡ１に記録されていると判定できる。さらに、ＤＭＡアクセスインジケータに書き込みがなく、ＴＤＭＡ１、ＴＤＭＡ２アクセスインジケータに書き込みがあれば最新のＴＤＭＳがＴＤＭＡ２に書き込まれていると判定できる。
【００３５】
次に、上述した光ディスク再生装置１の構成について図２を参照して説明する。光ディスク再生装置１は、図１に示すようにディスクモータ２と、光ピックアップ３と、キャリッジモータ４と、リードスクリュー５と、ＲＦアンプ６と、サーボ信号処理部７と、ドライバ８と、音声／映像信号処理部９と、バッファ１０と、マイクロコンピュータ（以下μＣＯＭ）１１と、を備えている。
【００３６】
ディスクモータ２は、光ディスク再生装置１にセットされた記録媒体としての光ディスク１２を回転させるためのモータであり、スピンドルモータなどで構成されている。光ピックアップ３は、光ディスク１２に照射するレーザ光を発生させるレーザダイオードや、光ディスク１２上にレーザダイオードからのレーザ光を集光するための対物レンズ、サーボ信号処理部７からの信号によりフォーカス方向やトラッキング方向に対物レンズを駆動するアクチュエータおよび光ディスク１２から反射された反射光を受けるフォトダイオードや、レーザ光を対物レンズに導いたり、反射光を受光器へ導く光学系などを備え、フォトダイオードの出力から光ディスク１２に記録されている映像や音楽などのトラックデータを含むＲＦ信号やフォーカスエラー信号およびトラッキングエラー信号などを生成しＲＦアンプ６へ出力する。
【００３７】
キャリッジモータ４は、後述するリードスクリュー５を通じて光ピックアップ３を光ディスク１２の径方向に移動させるためのモータでありステッピングモータなどで構成されている。
【００３８】
リードスクリュー５は、円柱状に形成されてその外周面にネジ溝とネジ山が形成され、光ディスク１２の径方向と平行に設置されている。リードスクリュー５は、キャリッジモータ４の回転軸と機械的に接続されておりキャリッジモータ４の回転に合わせて回転する。リードスクリュー５のネジ溝やネジ山は光ピックアップ３に形成された図示しないネジ山やネジ溝と噛み合っており、リードスクリュー５が回転することで光ピックアップ３が光ディスク１２の径方向に沿って移動する。
【００３９】
ＲＦアンプ６は、光ピックアップ３から入力される信号を所定の値に増幅し、サーボ信号処理部７へ出力する。
【００４０】
サーボ信号処理部７は、ＲＦアンプ６から入力されるフォーカスエラー信号やトラッキングエラー信号などの制御信号を基に光ピックアップ３のアクチュエータを駆動させてフォーカスおよびトラッキングの制御などを行い光ディスク１２に記録された情報を正確に読めるようにする。また、入力されたフォーカスエラー信号のレベルをマイクロコンピュータ１１へ出力する。さらに、光ディスク１２に記録された映像や音楽などを含むＲＦ信号をアナログ／デジタル変換して音声／映像信号処理部９へ出力する。
【００４１】
ドライバ８は、サーボ信号処理部７から出力された信号からディスクモータ２および光ピックアップ３のアクチュエータおよびキャリッジモータ４への駆動信号を生成し出力する。
【００４２】
音声／映像信号処理部９は、サーボ信号処理部７から入力された信号にエラー訂正などを行った後復調やデコードを行いバッファ１０へ出力する。そしてマイクロコンピュータ１１からの要求に従ってバッファ１０から読み出してホストコンピュータ２０へ出力する。
【００４３】
ここで、ディスクモータ２、光ピックアップ３、キャリッジモータ４、リードスクリュー５、ＲＦアンプ６、サーボ信号処理部７、ドライバ８、音声／映像信号処理部９で光ディスク１２からデータを読み取って再生する再生手段としての再生部１５を構成する。
【００４４】
バッファ１０は、振動などによって再生が途切れないように所定量一時的に音声／映像信号処理部９で再生された映像や音声などのデータを格納するためのメモリであり、半導体メモリで構成される。バッファ１０には光ディスク１２から通常の数倍速の再生速度で読み込んだデータを格納し、通常の再生速度で出力する。
【００４５】
判定手段、第１管理情報格納手段、第２管理情報格納手段としてのマイクロコンピュータ１１は、ＣＰＵ(Central Processing Unit)と、ＲＡＭ(Random Access Memory)と、ＲＯＭ(Read Only Memory)とを内蔵し、ホストコンピュータ２０からの命令に基づいて光ディスク１２の挿入や排出、再生や停止およびトラックサーチなどの各操作における光ディスク再生装置１全体の制御を行う。また、マイクロコンピュータ１１は、光ディスク１２に設けられた複数のＴＤＭＡ０〜２のうち最初にＴＤＭＳが書き込まれるＴＤＭＡ０からスピンアップを開始して、スピンアップを開始した地点にＴＤＭＳが書き込まれているか否かを判定する。そして、書き込まれていないと判定するとＴＤＭＡ０を探索して最新のＴＤＭＳを取得し、書き込まれていると判定するとＴＤＭＡ２、ＴＤＭＡ１アクセスインジケータの書き込みから最新のＴＤＭＳが書き込まれているＴＤＭＡを判定して、その判定したＴＤＭＡ内を探索して最新のＴＤＭＳを取得する。
【００４６】
次に、上述した構成の光ディスク再生装置１のディスク認識処理を図３のフローチャートを参照して以下説明する。図３に示すディスク認識処理は、例えば光ディスク１２が光ディスク再生装置１に装填されたときに行われる。まず、μＣＯＭ１１は、ドライバ８を制御して光ピックアップ３をＴＤＭＡ０の中間アドレス地点まで駆動してスピンアップし、そのスピンアップした地点の記録状態を確認する（ステップＳ１）。その後、μＣＯＭ１１は、ＤＭＡアクセスインジケータの記録状態を確認する（ステップＳ２）。
【００４７】
ＤＭＡアクセスインジケータが書き込み済みであれば（ステップＳ３でＹ）、μＣＯＭ１１は、ファイナライズ済みであると判定して、ＤＭＡから最新のＤＭＳを取得する処理を行う（ステップＳ４）。これにより図３に示すディスク認識処理は完了し、次の処理に移行する。
【００４８】
また、ＤＭＡアクセスインジケータが書き込み済みでなければ（ステップＳ３でＮ）、μＣＯＭ１１は、ファイナライズ済みでないと判定して、ステップＳ１で確認した結果、スピンアップ地点が書き込み済みであるか否かを判定する（ステップＳ５）。スピンアップ地点が書き込み済みでなければ（ステップＳ５でＮ）、μＣＯＭ１１は、最新のＴＤＭＳがＴＤＭＡ０に記録されているか、または、ブランクディスクの何れかであると判定するため、ＴＤＭＡ０のＴＤＭＳ書込領域内の先頭の記録状態を確認する（ステップＳ６）。
【００４９】
結果、ＴＤＭＡ０のＴＤＭＳ書込領域内の先頭が書き込み済みであれば（ステップＳ７でＹ）、μＣＯＭ１１は、最新のＴＤＭＳがＴＤＭＡ０に記録されていると判定して、ＴＤＭＡ０の先頭アドレスＳとスピンアップを開始した地点であるＴＤＭＡ０の中間アドレスＭとの間の最終記録済みアドレスを探索して（ステップＳ８）、その最終記録済みアドレスのＴＤＤＳを取得する（ステップＳ９）。つまり、最新のＴＤＭＳが記録されるＴＤＭＡ内においては、その最終記録済みアドレス（最終セクタ）に最新のＴＤＤＳが書き込まれていることになるので、そのＴＤＤＳを取得するものである。
【００５０】
その後、μＣＯＭ１１は、ステップＳ９で取得したＴＤＤＳのポインタが示すＴＤＦＬ、ＳＲＲＩの読み出しを行い（ステップＳ１０）、これにより最新のＴＤＭＳを取得することができる。ステップＳ１０が実行された後、μＣＯＭ１１は、ディスク認識処理を完了し次の処理に移行する。これに対して、ＴＤＭＡ０のＴＤＭＳ書込領域内の先頭が書き込み済みでなければ（ステップＳ７でＮ）、μＣＯＭ１１は、ブランクディスクであると判定して（ステップＳ１１）、ディスク認識処理を完了して次の処理に移行する。
【００５１】
一方、スピンアップ地点が書き込み済みであれば（ステップＳ５でＹ）、μＣＯＭ１１は、最新のＴＤＭＳがＴＤＭＡ０のスピンアップを開始した地点より後に記録されているか、ＴＤＭＡ１かＴＤＭＡ２に記録されていると判定して、Ｎ＝２に設定する（ステップＳ１２）。その後、μＣＯＭ１１は、ＴＤＭＡ［Ｎ］アクセスインジケータの記録状態を確認する（ステップＳ１３）。
【００５２】
ＴＤＭＡ［Ｎ］アクセスインジケータが書き込み済みでなければ（ステップＳ１４でＮ）、μＣＯＭ１１は、Ｎ＝Ｎ−１に設定した後（ステップＳ１５）、Ｎ＝０であるか否かを判定する（ステップＳ１６）。Ｎ＝０でなければ（ステップＳ１６でＮ）、μＣＯＭ１１は再びステップＳ１３に戻る。一方、Ｎ＝０であれば（ステップＳ１６でＹ）、μＣＯＭ１１は、最新のＴＤＭＳがＴＤＭＡ０のスピンアップを開始した地点より後に記録されていると判定して、スピンアップを開始した地点であるＴＤＭＡ０の中間アドレスＭとＴＤＭＡ０の終了アドレスＥとの間の最終記録済みアドレスを探索した後（ステップＳ１７）、ステップＳ９に進んで最新のＴＤＭＳを取得する。
【００５３】
また、ＴＤＭＡ［Ｎ］アクセスインジケータが書き込み済みであれば（ステップＳ１４でＹ）、μＣＯＭ１１は、ＴＤＭＡ［Ｎ］に最新のＴＤＭＳが記録されていると判定して、ＴＤＭＡ［Ｎ］アクセスインジケータ内のＴＤＤＳを取得して（ステップＳ１８）、取得したＴＤＤＳのＴＤＭＡ［Ｎ］のサイズ情報から、ＴＤＭＡ［Ｎ］の終了アドレスＥ、または先頭アドレスＳを計算する（ステップＳ１９）。つまり、ＴＤＭＡ１の場合は先頭アドレスＳは固定であるので、この固定による先頭アドレスＳとＴＤＭＡ１のサイズ情報とに基づき終了アドレスＥを計算する。また、ＴＤＭＡ２の場合は終了アドレスＥが固定とされるため、この固定による終了アドレスＥとＴＤＤＳ内のＴＤＭＡ２のサイズ情報とに基づき先頭ドレスＳを計算することになる。
【００５４】
このようにして領域サイズが可変であるＴＤＭＡ１、ＴＤＭＡ２が最新のＴＤＭＳの記録されるＴＤＭＡであるとされた場合には、アクセスインジケータ内のＴＤＤＳに格納されるＴＤＭＡサイズの情報に基づきその先頭アドレス又は終了アドレスを求める処理が行われる。その後、μＣＯＭ１１は、計算したＴＤＭＡ［Ｎ］の先頭アドレスＳと終了アドレスＥとの間の最終記録済みアドレスを探索した後（ステップＳ２０）、ステップＳ９に進む。ステップＳ９以降は既に説明したので説明を省略する。そして、光ディスク再生装置１は、上記ディスク認識処理を行った後、このディスク認識処理で取得した最新のＴＤＭＳを用いて光ディスク１２に記録されたデータの再生を行う。
【００５５】
本実施例によれば、μＣＯＭ１１が、複数のＴＤＭＡ０〜２のうち最初にＴＤＭＳが書き込まれるＴＤＭＡ０からスピンアップを開始して、当該スピンアップを開始した地点が書き込み済みであるか否かを判定し、書き込み済みでないと判定すると最初にＴＤＭＳが書き込まれるＴＤＭＡ０内を探索して最新のＴＤＭＳを取得し、書き込み済みであると判定するとＴＤＭＡ２アクセスインジケータ、ＴＤＭＡ１アクセスインジケータ内の記録状態を確認して最新のＴＤＭＳが書き込まれているＴＤＭＡを判定して、当該判定したＴＤＭＡ内を探索して最新のＴＤＭＳを取得するので、最新のＴＤＭＳが最初にＴＤＭＳが書き込まれるＴＤＭＡ０のスピンアップを開始した地点よりも前にある場合、ＴＤＭＡ２アクセスインジケータやＴＤＭＡ１アクセスインジケータを読み取る必要がなく、シーク回数を減らして最新のＴＤＭＳを取得するまでの時間を短縮できる。
【００５６】
また、μＣＯＭ１１は、最初にＴＤＭＳが書き込まれるＴＤＭＡ０の中間アドレス（中間部）からスピンアップを開始している。このようにすることにより、ＴＤＭＡ０の中間アドレスよりも前に最新のＴＤＭＳが書き込まれている場合、ＴＤＭＡ１、ＴＤＭＡ２アクセスインジケータを読み取る必要がなく、シーク回数を減らして最新のＴＤＭＳを取得するまでの時間を短縮できる。
【００５７】
また、μＣＯＭ１１は、最初にＴＤＭＳが書き込まれるＴＤＭＡ０の先頭アドレスＳとスピンアップが開始された地点である中間アドレスＭとの間を探索して最新のＴＤＭＳを取得している。このようにすることにより、スピンアップが開始された地点よりも後を探索する必要がなくなり、より一層最新のＴＤＭＳを取得するまでの時間を短縮できる。
【００５８】
また、μＣＯＭ１１は、スピンアップ開始された地点が書き込み済みであり、アクセスインジケータ領域の記録状態からＴＤＭＡ０が最新のＴＤＭＳが書き込まれるＴＤＭＡであると判定したとき、ＴＤＭＡ０の終了アドレスＥとスピンアップが開始された地点である中間アドレスＭとの間を探索して最新のＴＤＭＳを取得している。このようにすることにより、スピンアップが開始された地点よりも前を探索する必要がなくなり、より一層最新のＴＤＭＳを取得するまでの時間を短縮できる。
【００５９】
また、上述したディスク認識処理を行うμＣＯＭ１１を光ディスク再生装置１に内蔵することにより、最新のＴＤＭＳを迅速に取得して光ディスク１２の再生までにかかる時間を短くすることができる。
【００６０】
なお、上述した実施例では、ＴＤＭＳは交替処理により更新されるものであったが、本発明はこれに限ったものではない。管理情報としては他のトリガで順次更新されていてもよい。また、上述した実施例では、ＴＤＭＡは３つ設けられていたが、本発明はこれに限ったものではない。ＴＤＭＡとして２つ以上であればよく、３つ以上であっても２つであってもよい。
【００６１】
また、上述した実施例では、ＴＤＭＡ０の中間部を狙ってスピンアップを開始していたが、本発明はこれに限ったものではない。スピンアップを開始する地点はＴＤＭＡ０であればどこでもよい。
【００６２】
また、上述した実施例では、スピンアップ開始された地点が書き込み済みでない場合、最初にＴＤＭＳが書き込まれるＴＤＭＡ０の先頭アドレスＳとスピンアップが開始された地点である中間アドレスＭとの間を探索して最新のＴＤＭＳを取得していたが、本発明はこれに限ったものではない。例えば、スピンアップ開始された地点が書き込み済みでない場合であっても、ＴＤＭＡ０の全領域（先頭アドレスＳと最終アドレスＥとの間）を探索するようにしてもよい。
【００６３】
また、上述した実施例では、スピンアップ開始された地点が書き込み済みであり、アクセスインジケータ領域の記録状態からＴＤＭＡ０が最新のＴＤＭＳが書き込まれるＴＤＭＡであると判定したとき、ＴＤＭＡ０の終了アドレスＥとスピンアップが開始された地点である中間アドレスＭとの間を探索して最新のＴＤＭＳを取得していたが、本発明はこれに限ったものではない。例えば、ＴＤＭＡ０が最新のＴＤＭＳが書き込まれるＴＤＭＡであると判定したとき、ＴＤＭＡ０の全領域（先頭アドレスＳと最終アドレスＥとの間）を探索するようにしてもよい。
【００６４】
前述した実施例によれば、以下の管理情報取得装置、管理情報取得方法および管理情報取得プログラムが得られる。
【００６５】
（付記１）ＴＤＭＳが順次記録される複数のＴＤＭＡ０〜２と、ＴＤＭＡ０〜２にＴＤＭＳが書き込まれていることを示す情報が記録されるＴＤＭＡ２アクセスインジケータ、ＴＤＭＡ１アクセスインジケータと、が設けられた光ディスク１２から最新のＴＤＭＳを取得する管理情報取得装置において、
複数のＴＤＭＡ０〜２のうち最初にＴＤＭＳが書き込まれるＴＤＭＡ０からスピンアップを開始して、当該スピンアップを開始した地点が書き込み済みであるか否かを判定するマイクロコンピュータ１１と、
前記判定により書き込み済みではないと判定されると最初にＴＤＭＳが書き込まれるＴＤＭＡ０内を探索して最新のＴＤＭＳを取得するマイクロコンピュータ１１と、
前記判定により書き込み済みであると判定されるとＴＤＭＡ２アクセスインジケータ、ＴＤＭＡ１アクセスインジケータ内の情報を読み取って最新のＴＤＭＳが書き込まれているＴＤＭＡを判定して、当該判定したＴＤＭＡ内を探索して最新のＴＤＭＳを取得するマイクロコンピュータ１１と、
を備えたことを特徴とする管理情報取得装置。
【００６６】
この管理情報取得装置によれば、最新のＴＤＭＳが最初にＴＤＭＳが書き込まれるＴＤＭＡ０のスピンアップを開始した地点よりも前にある場合、ＴＤＭＡ２アクセスインジケータやＴＤＭＡ１アクセスインジケータを読み取る必要がなく、シーク回数を減らして最新のＴＤＭＳを取得するまでの時間を短縮できる。
【００６７】
（付記２）ＴＤＭＳが順次記録される複数のＴＤＭＡ０〜２と、ＴＤＭＡ０〜２にＴＤＭＳが書き込まれていることを示す情報が記録されるＴＤＭＡ２アクセスインジケータ、ＴＤＭＡ１アクセスインジケータと、が設けられた光ディスク１２から最新のＴＤＭＳを取得する管理情報取得方法において、
複数のＴＤＭＡ０〜２のうち最初にＴＤＭＳが書き込まれるＴＤＭＡ０からスピンアップを開始して、当該スピンアップを開始した地点が書き込み済みであるか否かを判定し、
書き込み済みでないと判定されると最初にＴＤＭＳが書き込まれるＴＤＭＡ０内を探索して最新のＴＤＭＳを取得し、
書き込み済みであると判定されるとＴＤＭＡ２アクセスインジケータ、ＴＤＭＡ１アクセスインジケータ内の情報を読み取って最新のＴＤＭＳが書き込まれているＴＤＭＡを判定して、当該判定したＴＤＭＡ内を探索して最新のＴＤＭＳを取得する
ことを特徴とする管理情報取得方法。
【００６８】
この管理情報取得方法によれば、最新のＴＤＭＳが最初にＴＤＭＳが書き込まれるＴＤＭＡ０のスピンアップを開始した地点よりも前にある場合、ＴＤＭＡ２アクセスインジケータやＴＤＭＡ１アクセスインジケータを読み取る必要がなく、シーク回数を減らして最新のＴＤＭＳを取得するまでの時間を短縮できる。
【００６９】
（付記３）μＣＯＭ１１に、ＴＤＭＳが順次記録される複数のＴＤＭＡ０〜２と、ＴＤＭＡ０〜２にＴＤＭＳが書き込まれていることを示す情報が記録されるＴＤＭＡ２アクセスインジケータ、ＴＤＭＡ１アクセスインジケータと、が設けられた光ディスク１２から最新のＴＤＭＳを取得させる管理情報取得プログラムにおいて、
μＣＯＭ１１に、複数のＴＤＭＡ０〜２のうち最初にＴＤＭＳが書き込まれるＴＤＭＡ０からスピンアップを開始して、当該スピンアップを開始した地点が書き込み済みであるか否かを判定させ、
書き込み済みではないと判定されると最初にＴＤＭＳが書き込まれるＴＤＭＡ０内を探索して最新のＴＤＭＳを取得させ、
書き込み済みであると判定されるとＴＤＭＡ２アクセスインジケータ、ＴＤＭＡ１アクセスインジケータ内の情報を読み取って最新のＴＤＭＳが書き込まれているＴＤＭＡを判定して、当該判定したＴＤＭＡ内を探索して最新のＴＤＭＳを取得させる
ことを特徴とする管理情報取得プログラム。
【００７０】
この管理情報取得プログラムによれば、最新のＴＤＭＳが最初にＴＤＭＳが書き込まれるＴＤＭＡ０のスピンアップを開始した地点よりも前にある場合、ＴＤＭＡ２アクセスインジケータやＴＤＭＡ１アクセスインジケータを読み取る必要がなく、シーク回数を減らして最新のＴＤＭＳを取得するまでの時間を短縮できる。
【００７１】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００７２】
１    光ディスク再生装置（再生装置）
１１  マイクロコンピュータ（判定手段、第１管理情報取得手段、第２管理情報取得手段）
１２  光ディスク（記録媒体）
【図１】
2011150756.tif 000003
【図２】
2011150756.tif 000004
【図３】
2011150756.tif 000005